(57)【要約】【解決手段】吸着冷凍装置の蒸発室に含まれる冷媒液が降圧効果により蒸発し、また装置の接続ユニットと吸着室とは吸着剤を含んでおり、この吸着剤が冷媒液の蒸気を凝固することができる。吸着剤は複数の空房を有した１以上の剛性ブロックからなり、該空房の少なくとも一部は供給空房であって、該供給空房は冷媒液の蒸気を吸着剤上に拡散することができる。
2004502128.tif 000002
【特許請求の範囲】
【請求項１】
蒸発室と接続ユニットと吸着室とを有しており、蒸発室は冷媒液と降圧により蒸発するその蒸気とを含んでおり、吸着室は真空下で冷媒液の蒸気を凝固することのできる吸着剤を含んでおり、吸着剤が複数の空房を有した１個以上の剛性ブロックにより構成されており、空房の少なくとも一部は冷媒液の蒸気を吸着剤上に拡散できる供給空房であることを特徴とする吸着冷凍装置。
【請求項２】
少なくとも１個の他の空房が熱交換空房であって、冷媒液の蒸気の吸着中に解放された熱を放出できることを特徴とする請求項１に記載の装置。
【請求項３】
ブロックが熱伝導性気密堰板により分断された２個の領域を有しており、第１の領域が吸着剤と供給空房と吸着室中のブロックの一面上の開口とを有しており、第２の領域が少なくとも１個の熱交換空房と吸着室外側上のブロックの反対の面上の開口とを有していることを特徴とする請求項２に記載の装置。
【請求項４】
堰板が少なくとも１個の金属管を有していて、これが少なくとも１個の熱交換空房を覆っていることを特徴とする請求項３に記載の装置。
【請求項５】
ブロックの第１の領域が堰板に熱的に接合された金属リブを有していることを特徴とする請求項３に記載の装置。
【請求項６】
リブがアルミニウム中にあることを特徴とする請求項４に記載の装置。
【請求項７】
堰板がプラスチックフィルムからなり、ブロックの第２の領域の壁上に設けられてかつ吸着室に接合されていることを特徴とする請求項３に記載の装置。
【請求項８】
吸着剤がゼオライトであることを特徴とする請求項１〜７のいずれかひとつに記載の装置。
【請求項９】
冷媒液が水および／またはアルコールであることを特徴とする請求項１〜８のいずれかひとつに記載の装置。
【請求項１０】
ブロックがさらにその周辺に断熱材を有していることを特徴とする請求項１〜９のいずれかひとつに記載の装置。
【請求項１１】
断熱材が吸着剤と樹脂の混合物からなることを特徴とする請求項１０に記載の装置。
【請求項１２】
単一の使用のためであることを特徴とする請求項１〜１１のいずれかひとつに記載の装置。
【請求項１３】
少なくとも１個の熱交換空房が相変化材料からなるヒートシンクを有していることを特徴とする請求項１２に記載の装置。
【請求項１４】
相変化材料が固体状から液体状に移行することを特徴とする請求項１３に記載の装置。
【請求項１５】
相変化材料が液体状から気体状に移行することを特徴とする請求項１３に記載の装置。
【請求項１６】
材料が水であることを特徴とする請求項１５に記載の装置。
【請求項１７】
ブロックの第２の領域が蒸気拡散ユニットを有していることを特徴とする請求項１５に記載の装置。
【請求項１８】
蒸気拡散ユニットが疎水性の多孔性材料からなることを特徴とする請求項１７に記載の装置。
【請求項１９】
ブロックの第２の領域が相変化材料蒸気の流量を制限する少なくとも１個の孔からなる外側大気への少なくとも１個の開口を具えた蓋を有していることを特徴とする請求項１５に記載の装置。
【請求項２０】
相変化材料の蒸気が少なくとも１個の孔を通って断熱膨張をして、外界へ逃出する際に温度を下げることを特徴とする請求項１９に記載の装置。
【請求項２１】
蒸気の温度降下が３５℃以上であることを特徴とする請求項２０に記載の装置。
【請求項２２】
相変化材料が新鮮感覚を生成する芳香添加物を含んでいることを特徴とする請求項１５に記載の装置。
【請求項２３】
循環動作に際して、吸着相と吸着剤再生相とを有しており、少なくとも１個の熱交換空房が再生のために吸着剤を加熱できることを特徴とする請求項２〜１０のいずれかひとつに記載の装置。
【請求項２４】
少なくとも１個の熱交換空房が液体・気体相変化材料からなる搬熱流体を含んでいることを特徴とする請求項２３に記載の装置。
【請求項２５】
少なくとも１個の熱交換空房がドームにより閉鎖され、該ドームの外面が熱回路に流れる流体に接触していることを特徴とする請求項２３または２４に記載の装置。
【請求項２６】
少なくとも１個の熱交換空房が搬熱流体のための管を少なくとも１個有していることを特徴とする請求項２３または２４に記載の装置。
【請求項２７】
搬熱流体の蒸発温度が吸着と再生の２個の明確な相において異なることを特徴とする請求項２４に記載の装置。
【請求項２８】
搬熱流体の蒸発温度がドームと接触して熱回路を流れる流体の圧力により制御されることを特徴とする請求項２７に記載の装置。
【発明の詳細な説明】
【０００１】
【発明の背景技術】
１．産業上の利用分野
この発明は、蒸発吸着冷凍装置に関する。その原理は、ある液体を、その液体の蒸気を吸着することにより維持される、降圧効果の影響下で蒸発させることから成る。蒸発器近辺の冷却を促進するのは、蒸発器（チャンバー、空房、あるいは類似機器）に収容されている、この冷媒液の蒸発である。この蒸発器に対して、吸着剤材料を収容した、もうひとつのチャンバーが接続されるのが普通である。
【０００２】
２．従来技術
冷媒液を蒸発させ、この液体の蒸気を吸着することによる冷凍原理は、循環システム（吸着剤を加熱して、再生する）、および単一使用システムの両方について、幾多の発展を経てきた。
【０００３】
これら全ての装置において、吸着は吸着剤内の熱散逸を伴い、温度上昇に結びつく。この熱の一部を発散させることにより、その温度上昇を制限する試みが行なわれた。
【０００４】
循環式装置は普通、熱交換器と結び付けられた吸着剤を含み、その吸着剤はまず、冷媒液の蒸気の吸着反応中、吸着剤により散逸された熱を発散させ、次にこれら吸着剤を再生するために加熱する。
【０００５】
冷凍用の循環吸着の原理は、米国特許第４６３７２１８号に記載されている。
【０００６】
循環システムにおいては、冷媒液が吸着により蒸発され、次に凝縮される。この吸着剤は、その吸着機能が完了後に、加熱によって再生される。熱交換器は、吸着機能時の最初に吸着剤を冷却し、次にこれら吸着剤を再生のために加熱するように設計されている。
【０００７】
循環式装置における困難のひとつは、熱交換器と吸着剤間の、熱伝達性の問題にある。例えば、他用途では効果的な吸着剤である、ゼオライト（沸石）ではあるが、熱交換器とゼオライト吸着剤間の効果的熱伝達は達成が困難である。実際上吸着剤は通常、熱伝達性が非常に乏しい粒、または棒型形状をとることが多い。その結果、循環システムの効率が低い。
【０００８】
米国特許第５５３５８１７号は、既にこの困難性を解析し、金属表面に蒸着して、ゼオライトを成形することにより、大幅に熱伝達性を向上する方法を提案した。このゼオライトは、内側ライニングを形成するように、直接金属管の内表面に蒸着される。しかしながら、この特許で提案された蒸着法は、実行するのが複雑で困難である。このことが、低コストでの大量生産に適用することを困難にする。
【０００９】
単一使用の装置の場合、米国特許第４７５９１９１号では、吸着剤に別の材料、特に３０℃と７０℃間で、固体／液体間の相変化をする材料を添加することにより、温度上昇を制限することを提案している。しかしながら、意味のある効果を得るためには、多量の固体／液体間で相変化する材料を用いる必要がある（かなりの効果を得るには、吸着剤の二倍位必要）。
【００１０】
この米国特許第４７５９１９１号ではまた、１００℃あるいは、むしろ１１０℃に達する温度において、液体／気体間で相変化する材料を用いる可能性についても述べている。しかしながら、そのような装置の、実行上の制約に関しては解析されていない。
【００１１】
【この発明の概要】
この発明の目的は、従来技術の問題点を克服することである。
【００１２】
この目的のため、この発明では、吸着時に散逸される熱の放散に特に適するように、吸着剤を成形することを提案する。吸着剤の成形実行は、経済的に有益である。
【００１３】
この発明によれば、吸着剤は空房を有する剛性ブロックの形で準備される。少なくとも、これら空房の一部は、冷媒液の蒸気分散を助長するために使われ、別の部分は、吸着時に散逸される熱の放散に使うことができる。循環式装置に適用の場合、熱放散に供用される空房はまた、吸着剤再生用の加熱もできる。
【００１４】
この発明はさらに詳しくは、冷媒液、および降圧効果の影響下で蒸発する、その蒸気を収容する蒸発室と、接続ユニット、および真空下で冷媒液の蒸気を固定できる能力を備えた、吸着剤を収容する吸着室から成り、しかも、この吸着剤は一個以上の、多数の空房を有する剛性ブロックで構成され、少なくとも前記空房の一部は、吸着剤上の冷媒液の蒸気を分散させる能力がある、供給空房である、吸着冷凍装置に関する。
【００１５】
ひとつの特徴として、少なくとも１個の別の空房が、冷媒液の蒸気を吸着中に散逸された熱を発散させる能力がある、熱交換空房である。
【００１６】
この発明の、ひとつの特別の形態として、ブロックが、熱伝導性で気密性堰板により、仕切られたふたつの領域を有し、第１の領域が、吸着剤と、供給空房と、吸着室内のブロックの一面に設けた開口とを含み、第２の領域が、少なくとも１個の熱交換空房と、吸着室の外側で、ブロックの反対側面に設けた開口とを含む。
【００１７】
ひとつの実施例として、堰板が少なくとも１個の金属管から成り、その堰板が少なくとも１個の熱交換空房を覆う。
【００１８】
もうひとつの実施例として、ブロックの第１の領域が、望ましくはアルミ製の堰板に対し熱的に接合された、金属製リブを含む。
【００１９】
もうひとつの実施例として、堰板がブロックの第２の領域壁面上に取り付けられた、樹脂製フィルムから成り、吸着室に接着されている。
【００２０】
ひとつの特徴として、吸着剤がゼオライトである。
【００２１】
実行のモードに応じて、冷媒液が水、および／またはアルコールである。
【００２２】
ひとつの特徴として、ブロックがさらに外周部に断熱材を有し、この断熱材は、吸着剤と樹脂の混合物から成ることが望ましい。
【００２３】
第１の適用例として、この発明による装置が、単一使用の装置である。
【００２４】
ひとつの特徴として、少なくとも１個の熱交換空房が、相変化材料から成る、ヒートシンクを含む。
【００２５】
第１の実施例として、相変化材料が固体状態から液体状態へ移行する。
【００２６】
第２の実施例として、相変化材料が液体状態から気体状態へ移行する。
【００２７】
ひとつの特徴として、吸着剤ブロックの第２の領域が、蒸気拡散ユニットを含み、この蒸気拡散ユニットが、疎水性で多孔性の材料から成ることが望ましい。
【００２８】
もうひとつの特徴として、ブロックの第２の領域が、少なくとも１個の外気につながる開口を具えた蓋を含む。この開口は相変化材料の、蒸気の流量を制限する、少なくとも１個の穴から成る。
【００２９】
ひとつの特徴として、相変化材料の蒸気が、上記した少なくとも１個の穴を通過し断熱膨張して、それが外部へ逃げるとき、温度を低下させる。好都合にも、この蒸気による温度低下は、３５℃以上である。
【００３０】
ひとつの実行例として、相変化材料が新鮮感を放つ芳香添加剤を含む。
【００３１】
第２の適用例として、この発明による装置が、吸着相と吸着剤再生相とを含む循環式装置であって、少なくとも１個の熱交換空房がさらに、吸着剤を再生のために加熱することができる。
【００３２】
ひとつの特徴として、少なくとも１個の熱交換空房が、液体／気体相変化材料から成る搬熱流体を含む。
【００３３】
もうひとつの特徴として、少なくとも１個の熱交換空房が、その外表面が熱回路を流れている流体と接している、ドームによって閉じ込められている。
【００３４】
もうひとつの特徴として、少なくとも１個の熱交換空房が、少なくとも１個の搬熱流体用供給管を含む。
【００３５】
ひとつの特色として、搬熱流体の沸点温度が、吸着相、および再生相のふたつで、それぞれ相異なる。
【００３６】
ひとつの特徴として、搬熱流体の沸点温度が、ドームと接触して熱回路を流れている流体の圧力によって、制御されている。
【００３７】
この発明の特徴的形態、および利点は、添付の図面を参照する、以下の非限定的記述を通じて、明解に理解されるであろう。
【００３８】
この発明は吸着剤の特殊な形成を意図するものであって、第１に効率的な吸着を、第２に吸着反応により発生される熱の容易な放出を、さらに必要なら吸着剤の迅速な再生を結果するものである。
【００３９】
図１ａ−ｂおよび２ａ−ｂにおいて、この発明の装置はブロック２００を有しており、このブロック２００は周辺に断熱材３５０を具えた吸着室３００内に配置された吸着剤２０５からなるものである。図中ではブロック２００は円形であるが、方形など適宜な形状をとり得るものである。
【００４０】
吸着剤２０５のブロック２００は複数の空房２１０、２２０を有しており、これらの空房はブロック２００内への吸着剤２０５の形成中に得られるものである。これら空房の断面は使用条件に応じて同じであってもよいし異なっていてもよい。
【００４１】
この発明の装置は冷媒液Ｌを含んだ少なくとも１個の蒸発室を有しており、この冷媒液は降圧効果により蒸発することができる。接続ユニットが開くと、この冷媒液Ｌの蒸気Ｖは吸着室内において吸着剤２０５に吸着される。この点については図３ａ、４ａにより詳細に後記する。
【００４２】
冷媒液Ｌは好ましくは水であるがアルコール（メタノール、エタノール）であってもよい。
【００４３】
吸着剤２０５は好ましくはゼオライトである。例えばゼオライト１３Ｘまたはゼオライト４Ａであって、バインダー（粘土、例えばカオリンまたは当業者公知の添加剤）と混合された微細な粉（粒度は数μから数十μ）および水からなるもので、空房２１０、２２０を具えたブロック２００に形成できる濃いペースト状のものである。
【００４４】
ブロック２００周辺の絶縁材３５０はゼオライトに樹脂を含浸させるのが望ましく、その多孔性を阻害して水蒸気を吸着しないようにしてある。この絶縁材３５０はさらにブロック２００に剛性と丈夫さを付与するもので、ついで例えばアルミニウムなどからなる吸着室３００内で真空組立てされる。
【００４５】
空房の少なくとも一部は供給空房２１０からなり、これが冷媒液Ｌの蒸気Ｖの拡散に用いられる。図１ａに示す実施例にあっては、全ての空房２１０がこの蒸気Ｖ拡散機能を具えていてもよく、そうすれば熱を放出する必要がない。すると単位質量当りの吸着剤２０５の効率が熱が上がっても制約される。大量の吸着剤が使用される装置にあっては、製造上の簡単さからこの構造が好まれる。
【００４６】
図１ｂに示す他の実施例にあっては、空房のごく一部が供給空房２１０であって、他の部分は熱交換空房２２０であって、吸着により発生された熱を放出し、循環式装置の場合には吸着剤の再生をも行う。空房２個の内１個はこの機能を具えるのが望ましい。
【００４７】
ブロック２００は本質的には堰板２３０により分断された２個の領域を有しており、これらは気密であるにも拘わらず効果的な熱交換（図３ｂ）を行える。第１の領域２１５は真空下で吸着剤２０５（例えばゼオライト）と供給空房２１０とを含んでおり、吸着室３００中でブロック２００の一面上に開口している。第２の領域２２５は圧力下で少なくとも１個の熱交換空房２２０を有していて、吸着室外側の反対のブロック面に開口している。
【００４８】
堰板２３０は第２の領域２２５の壁上に直接取り付けて吸着室３００に接合するのが望ましい。実施例によっては、この堰板２３０は金属製の気密管からなり例えば熱交換空房２２０を閉塞するか、シールライニングを構成するフィルム（キャプトンまたはポリアミドなど）からなるように構成してもよい。
【００４９】
図２ａ、ｂに示す実施例においては、ブロック２００の第１の領域は堰板２３０に熱的に接合された金属製リブ２３５を有しており、これが熱交換空房２２０と吸着剤２０５との間の熱交換を向上させる。かくしてリブ２３５を具えた１個の管２３０を有した１個だけの熱交換空房２２０で全ての吸着剤２０５をまかなうことも可能となる。リブ２３５は堰板の管２３０と同様アルミニウムから形成するのが望ましい。
【００５０】
第１の供給空房２１５は蒸発室に接続されており、その機能は冷媒液Ｌの蒸気Ｖの真空吸着を行うことにある。第２の熱交換領域２２５は外部に開口して熱を放出するようにしてもよく、または冷却回路上でシールまたは閉鎖してもよい。その点については詳細に後記する。
【００５１】
単一使用の場合についてこの発明の装置の応用を図３ａ−ｂおよび図４ａ−ｂにより以下説明する。
【００５２】
図３ａに示すように、吸着室３００は蒸発室２に接続されており、該蒸発室は冷媒液Ｌを含んだ気密空房からなっている。接続ユニット５０は例えば開蓋手段または弁を有しており、冷媒液Ｌの蒸気Ｖの流れを活性化してから保持するのに用いられる。接続ユニット５０はブロック２００の第１の領域２１５、つまりは吸着剤２０５上に蒸気Ｖを拡散する供給空房２１０に接続されている。
【００５３】
図３ｂにブロック２００の２個の領域２１５、２２５間の堰板２３０を詳細に示す。
【００５４】
単一使用のためのこの発明の装置の応用に際しては、熱交換空房２２０は相変化材料（実施例に応じて固体／液体または液体／気体）からなるヒートシンクを有している。
【００５５】
相変化材料は固体相から液体相になる酢酸ナトリウムなどでもよい。その場合には第２の領域２２５（熱交換領域）はシールして液体の流れを防止しなければならない。完全閉鎖ブロック２００にすると有利であるが、酢酸ナトリウムの潜熱の故に相変化材料の量が大きくなる。これは低コスト装置の場合には欠点となる。
【００５６】
また相変化材料は液体相から気体相Ｖ’になる水であってもよい。吸着剤の昇温を制限する最も効果的な方法は水の蒸発により熱量を除くことである。なぜなら水の潜熱は非常に高い（４５ＫＪ／モル、すなわち水１８ｇ）からである。
【００５７】
図３ａ−ｂに示す第１の実施例によれば、相変化材料の高温蒸気Ｖ’の拡散ユニット２７０はブロック２００上で冷媒液Ｌの蒸気Ｖの側とは反対の面上の第２の領域２２５に設けられている。この拡散室２７０は疎水性の多孔性層からなり、該層は高温蒸気Ｖ’は通すが相変化材料の液体は通さない。かくして外側の開口にも拘わらず、拡散室２７０はブロック２００に機械的な保護を与え相変化材料をシールするのである。
【００５８】
かくして第２の領域２２５は外界に開口していて、蒸気Ｖ’を逃出させて吸着反応により発生された熱を除去する。しかし迅速な蒸発のためには、水は沸点にもってくるべきである。これは焼損の潜在的なリスクを来すものである。このリスクを回避すべく、この発明においては発生された蒸気の熱を下げる吸着剤を用いるのである。
【００５９】
図４ａ−ｂに示す第２の実施例においては、少なくとも１個の熱交換空房２２０が冷却水（望ましくは液状水）を含んでおり、吸着剤と熱接触している。この熱交換空房２２０は少なくとも１個の外気への開口２７５を有しており、この開口は１以上の小孔によって構成されていて、逃出する水蒸気Ｖ’の流量を制限するものである。
【００６０】
変化実施例においては、液体／蒸気相変化材料に添加剤を添加してもよく、これはブロック２００の外部に放出される高温蒸気Ｖ’に人工的な芳香を付与する。この人工的な芳香は（例えばユーカリやウオーターメロンに基づいた）は新鮮さの感覚を生じるという利点がある。
【００６１】
図４ｂに詳しく示すように、熱交換空房２２０は少なくとも１個の外気への開口２７５を有しており、該開口は１以上の小孔からなり逃出する蒸気Ｖ’の流量を制限するものである。この開口２７５は圧力下の蒸気Ｖ’の外界へ逃出する際の断熱膨張を促進する。
【００６２】
ある実施例では、吸着剤２０５と少なくとも１個の熱交換空房２２０により構成される集合体は蓋２７１（アルミニウムなどの金属からなる）により閉鎖される。この蓋２７１は１以上の開口２７５を有しており、その直径は制約されて冷却水（相変化材料）の蒸気Ｖ’の断熱膨張を可能としている。
【００６３】
装置の動作中、吸着剤２０５により放出された熱は冷却水の蒸発と熱交換空房２２０中の蒸気Ｖ’の圧力増加を促すものである。加圧蒸気Ｖ’は小直径の開口２７５を通って逃出するとき、断熱膨張または減圧して、その温度を落とす。そのときの温度の低下は、蒸気Ｖ’の流量が高いほど、大きくなる。これは何故かと言えば、この場合には熱交換空房２２０中の圧力が高くて膨張が大きいからである。下記の数表に示すように、装置が動作している間に蒸気Ｖ’の温度の低下は外部に放出される。
【００６４】
【表１】
2004502128.tif 000003
【００６５】
かくして例えば、１バールの過剰圧力について熱交換空房２２０内の蒸気Ｖ’の温度は１２０℃に上昇する。しかし開口２７５を通って圧力が低減した後は、放出蒸気の温度はもはや約５５℃より大きくはない。この過剰な圧力は例えば断面０．４ｍｍ２の孔を通っての蒸気Ｖ’の流量０．１ｇ／ｓｅｃにより達成される。
【００６６】
断熱膨張または圧力低減による冷却は下記の物理法則に従う。
【００６７】
【数１】
2004502128.tif 000004
【００６８】
ここで（Ｔ１、Ｐ１）と（Ｔ２、Ｐ２）の対は圧力低減前後の温度と圧力である。またγは等エントロピー定数であって次の式で表わされる。
【００６９】
【数２】
2004502128.tif 000005
【００７０】
下記の表は起きた過剰圧力の関数として得られた冷却容量である。温度の関数である蒸気圧力は「Ｈａｎｄｂｏｏｋ　ｏｆ　Ｃｈｅｍｉｓｔｒｙ　ａｎｄ　Ｐｈｙｓｉｃｓ、８０年版」から取られたものである。表中の流量は直径１ｍｍ（０．８ｍｍ２）の孔に対応するものである（Ｆｌｏｗｍａｓｔｅｒ  ｃｏｄｅ）。蒸気Ｖ’の流量は孔の面積に比例し、冷却容量は流量（水の蒸発の潜熱）に比例する。
【００７１】
【表２】
2004502128.tif 000006
【００７２】
つぎに図５ａ、５ｂによりこの発明の装置の循環使用について説明する。
【００７３】
この種の装置は２組の吸着剤２００、２０１を有しており、これらは吸着・再生相において連続交互に作用するものである。
【００７４】
一次吸着回路４００は吸着剤ブロック２００、２０１を蒸発室２と圧縮室４とに接続するものである。２シリンダー・ピストン弁６０が各ブロック２００、２０１のそれらいずれかのユニットへの交互接続に用いられる。冷媒液Ｌの蒸気Ｖはこの一次回路４００内を流れる。
【００７５】
二次再生回路４１０は吸着剤ブロック２００、２０１をヒーター５とクーラー６とに接続する。可逆ポンプ８が二次流体Ｖｒをこの回路４１０に流入させる。このポンプ８はブロック２００近傍の回路４１０中の二次流体Ｖｒの圧力を再生に際して上げ、減圧器９が２個のブロック２００、２０１間に配置されて、ブロック２０１近傍の回路４１０中の流体Ｖｒの圧力を吸着に際して低減する。
【００７６】
外部交換回路は従来技術によるものであり、冷やしは蒸発室２内に生成され、圧縮器４とクーラー６とはこの順で直列配置されて抽出された熱量を回復し、ヒーター５は装置の動作のための追加エネルギーを供給する。
【００７７】
図５ｂのＢに循環使用におけるこの発明の装置の特徴を明示するものである。
【００７８】
熱交換空房２２０は水やアルコールのような液体／気体相変化材料からなる搬熱流体Ｌ’と該流体の供給管２４０を含んでいる。
【００７９】
この発明においてはさらにこれらの熱交換空房２２０がドーム型の蓋２５０により閉鎖されており、該蓋はこの面２５０上を流れる二次回路４１０の流体Ｖｒの熱交換を行う。したがってブロック２００の第２の領域２２５は熱交換空房２２０とそのドーム２５０をシールされた堰板２３０中で囲繞する。
【００８０】
熱交換空房２２０の底部の搬熱流体Ｌ’と二次回路４１０の流体Ｖｒとの間の温度の差は非常に低い（数℃）。
【００８１】
吸着相中、熱交換空房２２０に伝達された熱は吸着剤２０５により解放され、圧力（ドーム２５０中にある搬熱流体Ｌ’を供給管２４０の底部に向けて押す圧力）下で搬熱冷媒液Ｌ’をして空房２２０の底部からドーム２５０へと高温蒸気Ｖ’の形で蒸発する。これらの高温蒸気Ｖ’はついでドーム２５０中で流体Ｖｒ（二次回路４１０のクーラーである）と接触して濃縮される。
【００８２】
逆に再生相中には、二次回路４１０の流体Ｖｒは加熱要素であって（ヒーターと可逆ポンプ８の共同作用によって）、ドーム２５０の加熱を促して、空房２２０中で濃縮された搬熱流体Ｌ’の蒸発につながり、熱は吸着剤２０５に至って再生される。濃縮流体Ｌ’は供給管２４０を通って空房２２０から出てドーム２５０に至る。
【００８３】
この発明の特に有利な実施に際しては、搬熱流体Ｌ’の蒸発温度は吸着と再生の両相で異なる。この差は二次回路４１０中で柔軟性で圧力を伝達するドーム２５０と接触する流体Ｖｒの圧力により異なってくる。
【００８４】
この発明において吸着剤ブロック２００を製造する方法をつぎに説明する。
【００８５】
空房２１０、２２０を具えた吸着剤ブロック２００の形成は成形、射出または水およびバインダーと混合された吸着剤からなるペースト型内でのプレスによる。
【００８６】
また吸着剤ブロック２００の形成はダイを通って連続押出しして、例えばワイヤーで切断して行うこともできる。堰板２３０がリブ２３５を具えた少なくとも１個の金属管からなる場合には、ブロック２００はリブ付き金属管と吸着剤の共押出しによっても形成できる。
【００８７】
ブロック２００は例えば乾燥空気中で１００℃で乾燥され、例えば０．１Ｐａの真空中で４５０℃で焼かれ完全に脱水される。ブロック２００の周辺にはついで樹脂が含浸されて絶縁剤３５０を形成し、ブロック２００は吸着剤室３００中に配置されて真空シールされる。
【００８８】
成形によりブロック２００を形成すると、ブロック２００の一面のみにて開口する空房２１０、２２０を作ることにより２個の領域２１５、２２５間を直接にシールすることができる。たとえば型の一面上に配置できる吸着剤２０５は金属管またはシールされたプラスチック製の堰板２３０上に直接にプレスすることができる。空房２１０、２２０の円錐形状を用いて型離れを容易にすることができる。
【００８９】
押出しによるブロック２００の形成の場合には、空房２１０、２２０はブロック２００の両側に開口する。貫通された金属格子はブロック２００の両側に接合して空房の各面上の２個の開口の１個を閉鎖できる。また例えばスプレーにより熱交換設計とした空房２２０上にシールフィルム製の堰板２３０を配置してもよい。
【図面の簡単な説明】
【図１】図１ａは、この発明による第１の実施例としての装置の、吸着剤ブロックの一部を示す説明的断面図である。図１ｂは、この発明による第２の実施例としての装置の、吸着剤ブロックの一部を示す説明的断面図である。
【図２】図２ａは、この発明による第三実施例としての装置の、吸着剤ブロックの一部を示す説明的断面図である。図２ｂは、この発明による第三実施例としての装置の、吸着剤ブロックの一部を示す、Ａ−Ａ矢視長手方向の説明的断面図である。
【図３】図３ａは、この発明による、単一使用の、第１の適用例としての装置を示す図である。図３ｂは、図３ａで示した、この発明による装置の部分Ａの、長手方向の説明的断面図である。
【図４】図４ａは、この発明による、単一使用の、第２の適用例としての装置を示す図である。図４ｂは、図４ａで示した、この発明による装置の部分Ａ’の、長手方向の説明的断面図である。
【図５】図５ａは、この発明による、循環適用例による装置の図である。図５ｂは、図５ａで示した、この発明による装置の部分Ｂの、長手方向の説明的断面図である。
【図５】
2004502128.tif 000007
【国際公開パンフレット】
2004502128.tif 000008
2004502128.tif 000009
2004502128.tif 000010
2004502128.tif 000011
2004502128.tif 000012
2004502128.tif 000013
2004502128.tif 000014
2004502128.tif 000015
2004502128.tif 000016
2004502128.tif 000017
2004502128.tif 000018
2004502128.tif 000019
2004502128.tif 000020
2004502128.tif 000021
2004502128.tif 000022
2004502128.tif 000023
2004502128.tif 000024
2004502128.tif 000025
2004502128.tif 000026
2004502128.tif 000027
2004502128.tif 000028
2004502128.tif 000029
【国際調査報告】
2004502128.tif 000030
2004502128.tif 000031
2004502128.tif 000032
2004502128.tif 000033